(57)【要約】      （修正有）【課題】高所作業の安全率向上と、もぎとりスピード向上、効率向上が図れる収穫籠吊降し機構と移動用車輪を有した脚立を提供する。【解決手段】三脚脚立の背面に収穫籠吊降し機構として収穫籠受け台用ガイドレール４、収穫籠受け台５、吊滑車６、受け滑車７、収穫籠受け台引き下げ用ロープ８、ロープコントロール機構９を背面下部に脚立移動用車輪１２を付けた。【選択図】図２
0003120221.tif 000002
【実用新案登録請求の範囲】
【請求項１】
収穫籠吊降し機構と移動用車輪を有した脚立。
【請求項２】
収穫籠吊降し機構を有した脚立。
【請求項３】
移動用車輪を有した脚立。
【考案の詳細な説明】
【技術分野】
【０００１】  本考案は、果樹農家における果実（林檎、桃、柿、さくらんぼ等）の収穫作業において、脚立を必要とする高所作業と脚立の移動に係する改善である。脚立上の高所において、果実約１０Ｋｇも入った収穫袋を肩に吊るした状態での移動を無くし、高所作業の安全確保と常時肩に架かる荷重の低減を図るものである。  また、果実収穫場所の移動には脚立（約１０Ｋｇ）を手持ちで移動する必要があるが、その脚立の移動改善も含まれている。
【背景技術】
【０００２】  従来、果実の収穫作業は、果実の木の下に脚立を立て、収穫袋を肩に掛け脚立を登り、果実をもぎとり、肩に架けた袋に入れ、果実の入った袋を肩に架けた状態で脚立を降りるのが一連の作業である。  又、自走式高所作業台に自分と収穫籠数個を乗せ、電動（油圧等）により果実の生っている位置まで上昇、果実を収穫する方法も採られている。  一方、収穫場所の移動には、脚立を手持ちで運んでいる。
【考案の開示】
【考案が解決しようとする課題】
【０００３】  果実の高所での収穫には，収穫袋を肩にかけ脚立を登り、果実をもぎとり、収穫袋に入れ、果実の入った収穫袋を肩に掛け脚立を降りるのが一連の作業であるが、約１０Ｋｇにもなる収穫袋を脚立の上部で支え、離れた位置の果実をもぎとり収穫袋に入れる作業は、重心が脚立の高い位置で移動するため、比較的やわらかい地上に立てた脚立上の作業は、必然的に不安定作業となり脚立ごと転倒することもしばしば発生している。【０００４】また、肩にずしりと重くなった、収穫袋の下げ降しも重労働になっている。【０００５】  脚立に比べ高所での安全作業が出きる自走式高所作業台を使用している農家もあるが、高価であり小規模農家では準備が出来ない現状である。【０００６】一方、収穫場所の移動において脚立を手持ちで運ぶ作業が発生し、労力を要している。この種の作業従事者は高齢化が進み作業改善が望まれている。
【課題を解決するための手段】
【０００７】上記目的を達成するため、現在使用している脚立の背面に収穫籠吊降し機構を付け、背面下部に車輪を付けた。
【考案の効果】
【０００８】  高所での果実もぎとり作業において、収穫籠の位置が固定され、高所での重心の移動がなくなり、安定した状態で広範囲のもぎ取り作業を安定した姿勢で可能となった。結果、高所作業の安全率向上と、もぎとりスピードも上がり、効率向上が図れた。【０００９】  また、脚立上で１０Ｋｇにもなる収穫袋を肩に掛けての作業が無くなり、作業者の労力低減も図れた。【００１０】  一方、脚立に車輪を取付けた為、脚立の移動に要する労力の低減も図れた。また、手押し運搬車としての利用も可能になったため、収穫籠の持運びに用意する、新たな運搬車も不要となり農機具の準備労力の低減も図れた。
【考案を実施するための最良の形態】
【００１１】  現在使用されている脚立に、収穫籠吊降し機構と移動用車輪をワンタッチで取り付け可能にする。
【実施例】
【００１２】  以下、本考案に係る収穫籠吊降し機構と移動用車輪を有した脚立の実施例について図面を用いて説明する。【００１３】図１は、収穫袋を肩に下げ脚立上で果実のもぎ取り作業を行っている現状の収穫作業状況。三脚脚立１に収穫袋２を肩にかけ作業者３が脚立に登り収穫している状態でいかにも不安定な状態での作業かが判る。【００１４】図２（ａ）は、現在使用の三脚脚立に本考案の収穫籠吊降し機構（荷降し専用、荷を乗せての上昇は出来ない）と移動用車輪を装着した斜視図である。収穫籠吊降し機構は、収穫籠受け台用ガイドレール４、収穫籠受け台５、吊滑車６、受け滑車７、収穫籠受け台引き下げ用ロープ８、ロープコントロール機構９で構成され、上部固定用サドル１０、下部固定用サドル１１にて、従来使用の三脚脚立に固定されている。また、脚立移動用車輪１２は蝶ネジにてワンタッチにて三脚脚立１に装着できる構造になっている。【００１５】図２（ｂ）は、ロープコントロール機構９の詳細図で、手動操作の仕組みを説明する。収穫籠受け台引下げ用ロープ８がＶ溝回転プーリー１３に巻かれＶ溝に食い込み滑らない状態になっている。Ｖ溝回転プーリー１３の回転を制御することにより、収穫籠受け台引下げ用ロープ８の巻き上げ、巻き戻しが可能になっている。Ｖ溝回転プーリー１３の制御は、ブレーキシュー１４を挟んだ、ブレーキレバー１５を矢印方向（イ）へ押し、レバー固定用フックに掛けることによりによりブレーキがかかった状態になり、果実の入った収穫籠受け台５は下がらない仕組みになっている。収穫籠受け台５を下げるには、ブレーキ固定用フック１６を外し、ブレーキレバー１５を徐々に（ロ）方向に緩めることにより可能。【００１６】図２（ｃ）は、ロープコントロール機構９の詳細図で、電動操作の仕組みを説明する。Ｖ溝回転プーリー１３の軸１７に、カップリング１８により、ギヤヘッド１９の回転軸に接続する。Ｖ溝回転プーリー１３はモーター２０の回転により、収穫籠受け台引下げ用ロープ８の巻き上げ、巻き戻しが可能になっている。【００１７】  図３は、収穫籠吊降し機構を有した脚立を果実収穫作業に使用し収穫籠２１が上昇した位置で使用している斜視図である。収穫籠受け台用ガイドレール４上を収穫籠受け台引下げ用ロープ８で引上げられた収穫籠受け台５に収穫籠２１をのせ作業者３が果実をもぎ取り収穫籠２１に入れている状況である。【００１８】  図４は、収穫籠吊降し機構を有した脚立を果実収穫作業に使用し収穫籠が降下し、取り出せる状態を表した斜視図である。果実の入った収穫籠２１を作業者３が取出している状況である。【００１９】  図５は、収穫籠吊降し機構を有した脚立を横に倒し、脚立の下部に付けた車輪１２を利用して脚立を移動している斜視図である。
三脚脚立１を横に倒し本考案で取付けた車輪１２で、収穫籠受け台用ガイドレールの頭部を持ち移動する。また、収穫籠２１を載せての移動も可能である。
【図面の簡単な説明】
【図１】収穫袋を肩に下げ脚立上で果実のもぎ取り作業を行っている現状の収穫作業状況。
【図２】（ａ）現在使用の三脚脚立に本考案の収穫籠吊降し機構と移動用車輪を装着した斜視図である。（ｂ）ロープコントロール機構（手動操作）の詳細図である。（ｃ）ロープコントロール機構（電動操作）の詳細図である。
【図３】収穫籠吊降し機構を有した脚立を果実収穫作業に使用し収穫籠が上昇した位置で使用している斜視図である。
【図４】収穫籠吊降し機構を有した脚立を果実収穫作業に使用し収穫籠が降下し、取り出している斜視図である。
【図５】収穫籠吊降し機構を有した脚立を横に倒し、脚立の下部に付けた車輪を利用して脚立を移動している斜視図である。
【符号の説明】
１  従来から使用の三脚脚立
２  収穫袋
３  作業者
４  収穫籠受け台用ガイドレール
５  収穫籠受け台
６  吊滑車
７  受け滑車
８  収穫籠受け台引下げ用ロープ
９  ロープコントロール機構
１０  上部固定用サドル
１１  下部固定用サドル
１２  脚立移動用車輪
１３  Ｖ溝回転プーリー
１４  ブレーキシュー
１５  ブレーキレバー
１６  フック
１７  軸
１８  カップリング
１９  ギヤーヘット
２０  モーター
２１  収穫籠
【図１】
0003120221.tif 000003
【図２】
0003120221.tif 000004
【図３】
0003120221.tif 000005
【図４】
0003120221.tif 000006
【図５】
0003120221.tif 000007
【手続補正書】
【提出日】平成17年12月2日(2005.12.2)
【手続補正１】
【補正対象書類名】実用新案登録請求の範囲
【補正対象項目名】全文
【補正方法】変更
【補正の内容】
【実用新案登録請求の範囲】
【請求項１】
収穫籠吊降し機構と移動用車輪を有した脚立